(57)【要約】【課題】相手部品に取付ける調整部品が、その固定位置を調整可能に構成されているために、組立時に常に位置決め調整作業が必要となり、組立作業性を損なうものとなる。【解決手段】ベースフレーム６に位置決めボス２１とネジ止めボス２２とが突出して形成され、調整部品８には、位置決め調整時の取付姿勢で取付けられた場合に、位置決めボス２１およびネジ止めボス２２を用紙搬送方向Ｙでそれぞれ移動自在に案内する調整用長孔１４ａおよびネジ止めボス用ガイド１６Ｂが設けられると共に、調整部品８を位置決め調整時の取付姿勢に対して、中心軸Ｍ回りに１８０度回転させたデフォルト時の取付姿勢の場合に、位置決めボス２１と係合する位置決め孔１３ａと、ネジ止めボス２２を用紙搬送方向Ｙで移動自在に案内するネジ止めボス用ガイド１６Ａと、が設けられている。【選択図】図９
2006001703.tif 000002
【特許請求の範囲】
【請求項１】
調整部品と、
この調整部品が一方向の取付方向で着脱自在に取り付けられる相手部品と、
調整部品を相手部品に固定する固定手段と、
を備え、
相手部品に対する調整部品の取付位置が一方向の調整方向で可変に構成されると共に、
前記固定手段により任意の前記取付位置で調整部品が相手部品に固定される構成とした、
調整部品の位置決め装置であって、
相手部品には、
位置決めボスと、
位置決めボスよりも突出長さが短く形成される補助ボスとが、
前記取付方向に沿って平行に突出して形成され、
調整部品には、
該調整部品が相手部品に、ある姿勢で取付けられた場合に、
位置決めボスおよび補助ボスを同一方向でそれぞれ移動自在に案内する位置決めボスガイドおよび第一補助ボスガイドが設けられており、
この調整部品が前記調整方向で移動自在とされると共に、
該調整部品を前記ある姿勢に対して、前記取付方向回りに１８０度回転させた場合に、
位置決めボスと係合する位置決め孔と、
補助ボスを前記調整方向で移動自在に案内する第二補助ボスガイドと、
が設けられている、
ことを特徴とする調整部品の位置決め装置。
【請求項２】
前記固定手段は、
前記補助ボスに形成されるネジ溝と、
補助ボスのネジ溝に、調整部品を介して締結されるネジと、
から構成され、
前記調整部品には、
前記位置決め孔および前記位置決めボスガイドと重複する部位に、
調整部品の前記調整方向での移動に関わり無くネジ溝を露出させるためのネジ挿通孔が形成される、
ことを特徴とする請求項１に記載の調整部品の位置決め装置。
【請求項３】
請求項１に記載の調整部品の位置決め装置を備える用紙搬送装置であって、
前記相手部品はローラ軸が支持されるフレームとし、
前記調整部品は前記フレームにローラ軸を支持する支持部品とした、
ことを特徴とする用紙搬送装置。
【発明の詳細な説明】
【技術分野】
【０００１】
本発明は、調整部品の位置決め装置の技術に関する。
【背景技術】
【０００２】
プリンタにおける記録紙の搬送装置や、スキャナにおける原稿の搬送装置のような用紙搬送装置においては、搬送される用紙（記録紙や原稿）の斜行や皺の発生を防止するため、用紙搬送路に沿って設けられる各ローラの軸の支持位置の精度が、高く要求される。用紙の斜行が発生するのは、ローラ軸の軸方向が用紙搬送方向に対して正確に直角となるように本体に支持されておらず、このローラ軸のローラにより送られる用紙が、用紙搬送方向からズレた方向に送り出されることによる。また、ローラ軸間の平行度が僅かでも違っていると、搬送される用紙に皺が発生したりする。
特許文献１には、オプションとして付設される給紙カセット装置がプリンタ本体に接続される場合に、別体の装置に設けられるローラの軸同士が平行となるように位置決めを行う装置が開示されている。
【０００３】
前記ローラ軸のように、一方向（ローラ軸の場合、用紙搬送方向）における位置決め精度が高く要求される部品は、その支持位置が調整可能となるように、フレーム等の相手部品に固定される。
例えば、ローラ軸の場合、本体側のフレームに、その両端部で軸受けとしても機能する取付用の調整部品を介して取り付けられる。そして、この調整部品は、ネジの締結により固定される。
加えて、この調整部品には例えば、ネジ軸を挿通する長孔が用紙搬送方向に沿って形成されており、調整部品のフレームへ取付位置が可変に構成されるものである。
ローラ軸が調整部品に支持されてフレームに位置決めされる構成とすれば、調整部品のフレームに対する固定位置を調整することで、間接的にローラ軸の支持位置の調整が行われることになる。
【特許文献１】特開平７−２５７７６２号公報
【発明の開示】
【発明が解決しようとする課題】
【０００４】
ところが、前記フレーム等の相手部品に対して、例えばローラ軸が支持される調整部品の固定位置が可変に構成されていると、組立時には常に位置決め調整作業が必要となる。部品精度が高い場合は、デフォルトで位置決めされる構成としておいても、問題の無い場合が多い。したがって、組立時に常時位置決め調整作業が必要とされると、組立作業性を損なうものとなってしまう。
【０００５】
つまり、解決しようとする問題点は、相手部品に取付ける調整部品が、その固定位置を調整可能に構成されているために、組立時に常に位置決め調整作業が必要となり、組立作業性を損なうものとなる点である。
【課題を解決するための手段】
【０００６】
本発明の解決しようとする課題は以上の如くであり、次にこの課題を解決するための手段を説明する。
【０００７】
即ち、請求項１においては、
調整部品と、
この調整部品が一方向の取付方向で着脱自在に取り付けられる相手部品と、
調整部品を相手部品に固定する固定手段と、
を備え、
相手部品に対する調整部品の取付位置が一方向の調整方向で可変に構成されると共に、
前記固定手段により任意の前記取付位置で調整部品が相手部品に固定される構成とした、
調整部品の位置決め装置であって、
相手部品には、
位置決めボスと、
位置決めボスよりも突出長さが短く形成される補助ボスとが、
前記取付方向に沿って平行に突出して形成され、
調整部品には、
該調整部品が相手部品に、ある姿勢で取付けられた場合に、
位置決めボスおよび補助ボスを同一方向でそれぞれ移動自在に案内する位置決めボスガイドおよび第一補助ボスガイドが設けられており、
この調整部品が前記調整方向で移動自在とされると共に、
該調整部品を前記ある姿勢に対して、前記取付方向回りに１８０度回転させた場合に、
位置決めボスと係合する位置決め孔と、
補助ボスを前記調整方向で移動自在に案内する第二補助ボスガイドと、
が設けられている、ものである。
【０００８】
請求項２においては、
前記固定手段は、
前記補助ボスに形成されるネジ溝と、
補助ボスのネジ溝に、調整部品を介して締結されるネジと、
から構成され、
前記調整部品には、
前記位置決め孔および前記位置決めボスガイドと重複する部位に、
調整部品の前記調整方向での移動に関わり無くネジ溝を露出させるためのネジ挿通孔が形成される、ものである。
【０００９】
請求項３においては、
請求項１に記載の調整部品の位置決め装置を備える用紙搬送装置であって、
前記相手部品はローラ軸が支持されるフレームとし、
前記調整部品は前記フレームにローラ軸を支持する支持部品とした、ものである。
【発明の効果】
【００１０】
本発明の効果として、以下に示すような効果を奏する。
【００１１】
請求項１においては、単一の調整部品でありながら、この調整部品を相手部品に直ちに位置決めされるように取付けることも、位置決め調整が可能なように取付けることも可能である。したがって、位置決め調整が必要な場合に、位置決め調整可能に調整部品を相手部品に取付けることができ、組立作業性を損なうことがない。
【００１２】
請求項２においては、請求項１の効果に加えて、調整部品を相手部品に対して調整方向で移動自在とすることに関わる部材が、調整部品を相手部品に対して固定する手段の一部を兼用することになり、位置決め装置の構成がコンパクト化される。
請求項３においては、用紙搬送に関わるローラの軸の傾きを調整可能であると共に、組付け時には組付け性を優先して位置調整なしに組付けることも可能である。
【発明を実施するための最良の形態】
【００１３】
本発明の一実施の形態について、図面を用いて説明する。
本実施の形態は、用紙搬送装置の一つであるＡＤＦ（自動原稿搬送装置）１において、このＡＤＦ１に備える用紙搬送手段を構成するローラのローラ軸の位置決め装置としている。また、この位置決め装置を備えるＡＤＦ１そのものも、本実施の形態である。
【００１４】
図１には、シートフィードタイプのスキャナに原稿を給送するためのＡＤＦ（自動原稿搬送装置）１が示されている。
図１において、スキャナ本体３１に開閉自在に設けられるプラテンカバー３２に、ＡＤＦ１が付設されている。ＡＤＦ１には、このＡＤＦ１に原稿３０を供給するための原稿トレイ３３が付設されると共に、プラテンカバー３２の上面には、ＡＤＦ１から排出される原稿の排出トレイ３２ａが形成されている。
ＡＤＦ１の内部には、原稿トレイ３３から排出トレイ３２ａに至る用紙搬送路が形成されており、この用紙搬送路に沿って各種ローラが設けられ、これらのローラの駆動により用紙３０が搬送される。
なお、本明細書において、用紙とは、スキャナで読取り対象とする原稿と、プリンタで印字対象とする記録紙とを、共に含む表現としている。
【００１５】
図１に示すように、ＡＤＦ１には、内部の用紙搬送路を開放可能とする上カバー２が開閉自在に設けられている。
この上カバー２の用紙搬送路側には、用紙搬送路に沿って用紙３０を搬送するための各種ローラが設けられている。これらの各種ローラのうち、ローラ３・３のローラ軸４（図２に図示）には、用紙搬送方向に対して位置決めを行うための位置決め装置５が設けられている。そして、ローラ３・３の軸心が用紙搬送方向に対して正しく垂直に配置されることで、ローラ３・３と接触して搬送される原稿３０が、斜行することなく搬送されるようにしている。
【００１６】
また、上カバー２は、閉状態でＡＤＦ１の外側に位置するベースフレーム６と、ベースフレーム６よりも用紙搬送路側に設けられるカバーフレーム７と、を合わせて構成されており、内部が中空のケーシングである。
ローラ３・３のローラ軸４も、ベースフレーム６とカバーフレーム７との間に配置され、カバーフレーム７に形成された開口より、ローラ３・３の一部が用紙搬送路側へ突出するように、ローラ軸４がベースフレーム６に支持される構成である。
【００１７】
図２を用いて、位置決め装置５の概略構成を説明する。
前述したように、ローラ軸４はベースフレーム６に調整部品８・８を介して支持される構成であり、より詳しくはローラ軸４の両端部がそれぞれ調整部品８により支持されている。また、各調整部品８はベースフレーム６に対してネジ締結により固定される。
以下で詳しく説明するが、ベースフレーム６に対して調整部品８が位置決めされることで、間接的に、ローラ軸４がベースフレーム６に位置決めされるものである。したがって以下では、位置決め装置５は、ローラ軸４をベースフレーム６に対して位置決めする装置であることと、調整部品８をベースフレーム６に対して位置決めする装置であることとを、区別しないで用いるものとする。
【００１８】
また、以下において、ＡＤＦ１において用紙が搬送される方向である用紙搬送方向Ｙ、ローラ軸４の軸心方向である軸方向Ｘ、調整部品８をベースフレーム６に取付ける方向である取付方向Ｚ、の三方向を用いて説明を行う。
【００１９】
図３、図４を用いて、調整部品８の概略形状を説明する。
調整部品８は、大まかには、中空の直方体において一面を構成する壁を切除してなる形状であり、互いに垂直な関係にある五方向の壁を有している。
調整部品８を、壁のない開放側を下方とした姿勢において、調整部品８の側方を囲う四つの壁は、互いが対向する一対の側壁１１Ｌ・１１Ｒと、同じく互いが対向する側壁１１Ｌ・１１Ｒ間を連結する接続壁１２Ａ・１２Ｂと、である。側壁１１Ｌ・１１Ｒは、その概略形状が「Ｄ」字状に形成されている。
側壁１１Ｌ・１１Ｒ間には、調整部品８の上方を覆う壁が、三分割して設けられており、それぞれ第一上壁１３、第二上壁１４、接続上壁１５、である。第一上壁１３と第二上壁１４との高さ位置は同一であり、これらの壁より高い位置に接続上壁１５が設けられている。
なお、接続壁１２Ａと側壁１１Ｌ・１１Ｒと第一上壁１３とが接続され、接続壁１２Ｂと側壁１１Ｌ・１１Ｒと第二上壁１４とが接続されている。
また、この姿勢において、調整部品８の中央部に位置する接続上壁１５の中心部を貫いて、上下に延出する軸を中心軸Ｍとする。
【００２０】
調整部品８は、壁のない開放側をベースフレーム６側に向けた姿勢でベースフレーム６に取り付けられるが、その取付け方として、デフォルト時の取付け方と、位置決め調整時の取付け方と、がある。
この取付け方は詳しくは後述するが、デフォルト時の取付け方と位置決め調整時の取付け方とでは、ベースフレーム６に対して調整部品８を取り付ける姿勢が異なるものとなっている。具体的には、デフォルト時の取付けを行う場合の調整部品８の姿勢を、前記中心軸Ｍ周りに１８０度回転させた姿勢が、位置決め調整時の取付けを行う場合の姿勢となっている。
【００２１】
次に、図４、図５、図６を用いて、ベースフレーム６への調整部品８の取付けについて説明する。
調整部品８は、側壁１１Ｌ・１１Ｒの対向する方向が、ローラ軸４の軸方向Ｘと平行となる姿勢で、ベースフレーム６に取り付けられる。
図５に示すように、ベースフレーム６には、調整部品８が取り付けられる部位に、位置決めボス２１とネジ止めボス２２とが、平行に突出して設けられている。ここで、位置決めボス２１の外径より、ネジ止めボス２２の外径の方が大きく形成されている。
また、位置決めボス２１およびネジ止めボス２２の突出方向は、ベースフレーム６に対して調整部品８を取付ける前記取付方向Ｚと一致している。なお、取付方向Ｚは、軸方向Ｘとは直交関係にある。
一方、図４に示すように、調整部品８には、第一上壁１３に位置決めボス２１と係合する位置決め孔１３ａが形成されると共に、第二上壁１４に位置決めボス２１を挿通可能な調整用長孔１４ａが形成されている。
ここで、図６に示すように、位置決めボス２１とネジ止めボス２２との突出長さの関係により、ベースフレーム６に調整部品８を取り付けた状態で、位置決めボス２１は第一上壁１３および第二上壁１４より突出するが、ネジ止めボス２２は突出しない。
【００２２】
図４に示される状態は、ベースフレーム６への調整部品８の取付けにおいて、デフォルト時の取付けが行われている場合である。
このとき、取付方向Ｚより見て、位置決めボス２１と位置決め孔１３ａとが重複し、ネジ止めボス２２と調整用長孔１４ａとが重複するように、調整部品８がベースフレーム６に取り付けられる。
調整部品８は、デフォルト時の取付け方でベースフレーム６に取り付けられた場合は、詳しくは後述するが、その取付位置が特定されている。つまり、デフォルト時の取付け方の場合、調整部品８はベースフレーム６に取り付けた段階で、位置決めされている。
【００２３】
一方、図７に示すように、調整部品８の姿勢を、デフォルト時の取付けの姿勢に対して中心軸Ｍ周りに１８０度回転させた姿勢は、位置決め調整時の取付けの姿勢である。
このとき、取付方向Ｚより見て、位置決めボス２１と調整用長孔１４ａとが重複し、ネジ止めボス２２と位置決め孔１３ａとが重複する。
調整部品８が、位置決め調整時の取付け方でベースフレーム６に取り付けられた場合は、詳しくは後述するが、その取付位置が用紙搬送方向Ｙで調整可能となっており、この調整可能範囲における任意の箇所で固定可能である。したがって、調整部品８に支持されるローラ軸４の用紙搬送方向Ｙにおける位置決めの調整が、可能である。これに対して、デフォルト時の取付け方においては、ローラ軸４はデフォルト位置で位置決めされており、調整部品８の固定位置の調整は不能である。したがって、ローラ軸４の支持位置も調整不能である。
【００２４】
ここで、調整部品８でローラ軸４を支持する構成について説明する。
前述したように、調整部品８は、ローラ軸４をベースフレーム６に対して支持するための手段として機能する。また、前述したように、調整部品８はベースフレーム６に対する取付け方が、、デフォルト時の取付け方と位置決め調整時の取付け方との二通り可能である。
この二通りの取付け方に対応して、ローラ軸４を支持可能とする構成が、調整部品８には設けられている。より具体的には、調整部品８において、ローラ軸４の支持に関わる部分は、前記中心軸Ｍに対して点対称となるように構成されている。
【００２５】
図３、図８、図９に示すように、側壁１１Ｌ（１１Ｒ）には、ベースフレーム６側に開口する凹部１１ａが形成されている。この凹部１１ａは、ローラ軸４の外径と略一致する幅で、取付方向Ｚに沿って、ローラ軸４の外径よりも長く形成された長孔状の開口である。
そして、ローラ軸４は取付方向Ｚでは、凹部８ａの形成長さの範囲内で移動自在となると共に、用紙搬送方向Ｙでは移動が規制される。
なお、ローラ軸４とベースフレーム６との間には、軸受け等を介してスプリングが設けられており、取付方向Ｚでローラ軸４はベースフレーム６に弾性支持されている。
【００２６】
図８、図９に示すように、側壁１１Ｌ・１１Ｒにそれぞれ形成される凹部１１ａの形成部位は、中心軸Ｍに対して点対称である。特に、側壁１１Ｌ・１１Ｒの凹部１１ａ・１１ａは、用紙搬送方向Ｙで異なる部位となっており、軸方向Ｘにおいて重複しない。つまり、軸方向Ｘに沿って、凹部１１ａを介して調整部品８内へローラ軸４を挿入しても、調整部品８をローラ軸４が突き抜けることは無く、側壁１１Ｒ（又は側壁１１Ｌ）により制止されることになる。
さらに、側壁１１Ｌ（又は側壁１１Ｒ）の内面（中心軸Ｍ側の面）には、軸方向Ｘより見て、他方の側壁１１Ｒ（又は側壁１１Ｌ）の凹部１１ａと重複する部位に、突出部１１ｂが形成されている。つまり、調整部品８内へ挿入されたローラ軸４は、より正確には、側壁１１Ｌ（又は側壁１１Ｒ）の突出部１１ｂに当接して、調整部品８からの突き抜けが制止されることになる。
そして、ベースフレーム６に対するローラ軸４の軸方向Ｙでの移動が、ローラ軸４の両端部に配置される調整部品８・８により、規制される。
【００２７】
ベースフレーム６への調整部品８の取付けについて、より詳しく説明する。
まず、デフォルト時の取付けであるか位置決め調整時の取付けであるかを問わず、ベースフレーム６に調整部品８が、用紙搬送方向Ｙにのみ移動自在に支持される構成について説明する。
【００２８】
図９、図６に示すように、位置決め孔１３ａの下方には、側壁１１Ｌ・１１Ｒと平行な一対のガイド壁１６ａ・１６ａよりなるネジ止めボス用ガイド１６Ａが設けられている。各ガイド壁１６ａは第一上壁１３および接続壁１２Ａに固設されている。また、ガイド壁１６ａ・１６ａ間の間隔は、ネジ止めボス２２の外径と略同程度とされると共に、ガイド壁１６ａ・１６ａ間にネジ止めボス２２の挿入が可能である。
同じく、調整用長孔１４ａの下方には、側壁１１Ｌ・１１Ｒと平行な一対のガイド壁１６ｂ・１６ｂよりなるネジ止めボス用ガイド１６Ｂが設けられている。各ガイド壁１６ｂは第二上壁１４および接続壁１２Ｂに固設されている。また、ガイド壁１６ｂ・１６ｂ間の間隔は、ネジ止めボス２２の外径と略同程度とされると共に、ガイド壁１６ｂ・１６ｂ間にネジ止めボス２２の挿入が可能である。
【００２９】
デフォルト時の取付けの場合、調整部品８のガイド壁１６ｂ・１６ｂ間に、ベースフレーム６のネジ止めボス２２が挿入される。一方、位置決め調整時の取付けの場合、調整部品８のガイド壁１６ａ・１６ａ間に、ベースフレーム６のネジ止めボス２２が挿入される。
以下で説明するが、調整部品８は、ベースフレーム６に、位置決めボス２１およびネジ止めボス２２の二箇所で支持されて、用紙搬送方向Ｙで移動自在とされたり、あるいは位置決めされて移動自体が規制されるものである。
ここで、デフォルト時の取付けであっても、位置決め調整時の取付けであっても、ネジ止めボス２２は、調整部品８に形成される一対の平行なガイド部（ガイド壁１６ａ・１６ａまたはガイド壁１６ｂ・１６ｂ）により、相対的に移動規制されるのである。
【００３０】
ここで、図４を用いて、デフォルト時の取付けの場合を説明する。
デフォルト時の取付けの場合は、前述したように、取付方向Ｚより見て、位置決めボス２１と位置決め孔１３ａとが重複し、ネジ止めボス２２と調整用長孔１４ａとが重複するように、調整部品８がベースフレーム６に取り付けられる。
この位置決め孔１３ａは、位置決めボス２１を挿通可能な開口であると共に、位置決めボス２１と略同径の孔である。このため、位置決め孔１３ａに位置決めボス２１が挿通されると、調整部品８は位置決めボス２１により移動が規制される。
より詳しくは、以上構成のみであれば、調整部品８は、位置決めボス２１周りに回動自在の状態となるが、ネジ止めボス用ガイド１６Ｂによりネジ止めボス２２が用紙搬送方向Ｙにのみ移動が許容される状態にあるので、回転することは無い。つまり、ネジ止めボス用ガイド１６Ｂによるネジ止めボス２２の移動規制と、位置決め孔１３ａによる位置決めボス２１の移動規制とにより、調整部品８は、ベースフレーム６に位置決めされる。
この位置を、デフォルト位置とする。なお、ローラ軸４と調整部品８とは、用紙搬送方向Ｙでは一体であるので、調整部品８がデフォルト位置にあるときのローラ軸４の位置も、デフォルト位置と称するものとし、特に区別しないものとする。
【００３１】
図５、図６、図１０を用いて、デフォルト時の取付けの場合に機能する第三の位置規制手段について説明する。
図５、図６に示すように、位置決めボス２１の下部には、十字状に四方向にそれぞれリブが設けられている。特にベースフレーム６に対する調整部品８の位置決めに関わるのは、側壁１１Ｌ・１１Ｒの方へ突出するリブ１７・１７である。
一方、図１０に示すように、リブ１７・１７と同じ高さ位置においては、各ガイド壁１６ａにリブ１７を挿通可能とする凹部１６ｃが形成されている。リブ１７の幅（用紙搬送方向Ｙでの厚み）は、凹部１６ｃの開口幅（用紙搬送方向Ｙでの開口幅）と略一致している。
このため、デフォルト時の取付けが行われると、各凹部１６ｃ内に各リブ１７が挿入されて、調整部品８はベースフレーム６に対して、用紙搬送方向Ｙで移動規制される。
なお、各凹部１６ｃと各リブ１７との係合による調整部品８の移動規制は、位置決め孔１３ａと位置決めボス２１との係合による位置決めを補助するものである。
【００３２】
図１１に示すように、デフォルト時の取付けが完了すると、調整部品８はベースフレーム６にネジ２０の締結により固定される。
ここで、ネジ止めボス２２の軸心上にはネジ溝２２ａが形成されており、該ネジ溝２２ａにネジ２０を嵌め合わせることが可能である。
デフォルト時の取付けの場合、取付方向Ｚより見て、ネジ止めボス２２と調整用長孔１４ａとが重複した状態にある。調整用長孔１４ａの（軸方向Ｘにおける）幅は、ネジ止めボス２２の外径よりは小さく、ネジ溝２２ａの内径よりは大きく形成されている。そして、調整用長孔１４ａよりネジ溝２２ａが露出した状態にある。
したがって、調整用長孔１４ａの（軸方向Ｘにおける）幅より大きな径のワッシャ２３を介して、ネジ２０をネジ止めボス２２に締結することで、調整部品８がベースフレーム６に固定される。
【００３３】
また、図７を用いて、位置決め調整時の取付けの場合を説明する。
位置決め調整時の取付けの場合は、前述したように、取付方向Ｚより見て、位置決めボス２１と調整用長孔１４ａとが重複し、ネジ止めボス２２と位置決め孔１３ａとが重複する。
この調整用長孔１４ａは、位置決めボス２１を挿通可能な開口であると共に、位置決めボス２１の外径と略同じ幅の開口が、位置決め調整時の取付け状態の姿勢において、用紙搬送方向Ｙに沿って形成されたものである。つまり、調整用長孔１４ａは、前記ガイド壁１６ａ・１６ａと平行である。
このため、位置決め調整時の取付けが行われた際には、位置決めボス２１は相対的に調整用長孔１４ａに沿って移動自在である。
なお、この位置決め調整時の取付け状態において、位置決めボス２１の（軸方向Xでの）側方にはガイド壁１６ｂ・１６ｂが位置しているが、各ガイド壁１６ｂがリブ１７・１７の上方に位置するように、各ガイド壁１６ｂの調整部品８における高さ位置や上下幅が設定されている。そして、これらのガイド壁１６ｂ・１６ｂと前記リブ１７・１７とが干渉することがなく、ガイド壁１６ｂ・１６ｂにより位置決めボス２１の相対的な移動が規制されることが無い。
また、位置決め調整時の取付けが行われた際には、ネジ止めボス２２はガイド壁１６ａ・１６ａ間に挿入され、ネジ止めボス用ガイド１６Ａにより用紙搬送方向Ｙにのみ移動自在に規制される。
以上構成により、調整部品８はベースフレーム６に二箇所（位置決めボス２１およびネジ止めボス２２）で、用紙搬送方向Ｙにのみ移動自在に規制される。したがって、位置決め調整時の取付けの場合は、調整部品８はベースフレーム６に対して用紙搬送方向Ｙにのみ移動自在の状態となる。
【００３４】
位置決め調整時の取付けの場合は、調整部品８はベースフレーム６に対して用紙搬送方向Ｙで移動自在であり、デフォルト時の取付けの場合と異なり、調整部品８はベースフレーム６に位置決めされていない状態にある。
このため、必要に応じて、調整部品８をベースフレーム６に対して固定すべき位置を、用紙搬送方向Ｙで調整することが可能である。
本実施の形態の場合、ローラ軸４の両端部がそれぞれ調整部品８・８により支持される構成であるので、どちらか一方の調整部品８を用紙搬送方向Ｙに沿って移動させることで、ローラ軸４の姿勢、すなわち用紙搬送方向Ｙに対する傾斜角度を、調整することが可能である。
【００３５】
そして、調整部品８をベースフレーム６に対して固定すべき位置が特定されたなら、その位置において調整部品８をベースフレーム６に対して固定する。
この位置決め調整時の取付けの場合においても、ネジ２０の締結により、調整部品８をベースフレーム６に対して固定することが可能である。
位置決め調整時の取付けの場合、取付方向Ｚより見て、ネジ止めボス２２と位置決め孔１３ａとが重複した状態にある。位置決め孔１３ａの内径は、ネジ止めボス２２の外径よりは小さく、ネジ溝２２ａの内径よりは大きく形成されている。また、第一上壁１３には、位置決め孔１３ａと重複するように、調整部品８の取付状態の姿勢において、ネジ挿通孔１３ｂが用紙搬送方向Ｙに沿って形成されている。そして、調整部品８をベースフレーム６に対して用紙搬送方向Ｙで移動させても、ネジ溝２２ａがネジ挿通孔１３ｂより露出するようにし、ネジ止めボス２２へ調整部品８を挟んでネジ２０を締結することが可能に構成している。
このようにして、調整部品８をベースフレーム６上で固定すべき位置を特定してから、ネジ２０の締結により固定することで、調整部品８がベースフレーム６に対して位置決めされる。
【００３６】
なお、本実施の形態では、ローラ軸４の両端部がそれぞれ調整部品８により支持されて、ベースフレーム６に支持される構成としているが、調整部品８によるローラ軸４の支持は、ローラ軸４の少なくとも一方であればよい。この場合、ローラ軸４の端部の一方を調整部品８で支持すると共に、他方の端部は、支持位置の調節の不能な単なる支持部品により支持するものとする。
これは、ローラ軸４の姿勢（用紙搬送方向Ｙに対する傾斜角度）を調整するには、ローラ軸４の一方の端部の支持位置を、用紙搬送方向Ｙに対して調整するだけでよいためである。
また、ローラ軸４の両端部を調整部品８により支持する場合であっても、実際に調整するのは一方の調整部品８のみであって、他方の調整部品８はデフォルト時の取付けを行って、その固定位置を変更しないものとする。
【００３７】
本発明の調整部品の位置決め装置をまとめる。
本発明の位置決め装置は、調整部品と、この調整部品が一方向の取付方向で着脱自在に取り付けられる相手部品と、調整部品を相手部品に固定する固定手段と、を備えるものである。
本実施の形態では、ローラ軸４の支持を行う調整部品８の位置決め装置５としており、この調整部品８が取付けられる相手部品は、ベースフレーム６である。そして、調整部品８をベースフレーム６に固定する固定手段は、ベースフレーム６のネジ止めボス２２に形成されるネジ溝２２ａと、ネジ溝２２ａに調整部品８を介して嵌め合わされるネジ２０と、からなっている。
【００３８】
加えて、本発明の位置決め装置では、相手部品に対する調整部品の取付位置が一方向の調整方向で可変に構成されると共に、前記固定手段により任意の前記取付位置で調整部品が相手部品に固定される構成である。
本実施の形態では、この調整方向は、ＡＤＦ１における用紙搬送方向Ｙとなるように設定されている。また、前記調整用長孔１４ａの形成長さの範囲であれば、用紙搬送方向Ｙに沿って、ベースフレーム６に対する調整部品８の取付位置を調整して、この範囲内の任意の位置で前記ネジ２０により固定することが可能である。
【００３９】
本発明の位置決め装置において、相手部品には、位置決めボスと、位置決めボスよりも突出長さが短く形成される補助ボスとが、前記取付方向に沿って平行に突出して形成されている。
本実施の形態では、ベースフレーム６に、位置決めボス２１と、前記補助ボスとしてネジ止めボス２２とが、取付方向Ｚに沿って、平行に突出して設けられている。
【００４０】
本発明の位置決め装置において、調整部品には、該調整部品が相手部品に、ある姿勢で取付けられた場合に、位置決めボスおよび補助ボスを同一方向でそれぞれ移動自在に案内する位置決めボスガイドおよび第一補助ボスガイドが設けられている。そして、この調整部品が、前記調整方向で移動自在とされている。
また、該調整部品を前記ある姿勢に対して、前記取付方向回りに１８０度回転させた場合に位置決めボスと係合する位置決め孔と、補助ボスを前記調整方向で移動自在に案内する第二補助ボスガイドと、が設けられている。
【００４１】
本実施の形態では、調整部品８には、前記位置決め時の取付けの姿勢で、調整部品８がベースフレーム６に取付けられた場合に、位置決めボス２１を用紙搬送方向Ｙで移動自在に案内する調整用長孔１４ａと、ネジ止め用ボス２２を同じく用紙搬送方向Ｙで移動自在に案内する第一補助ボスガイドとしてのネジ止めボス用ガイド１６Ｂとが、設けられている。そして、調整部品８がベースフレーム６に対して用紙搬送方向Ｙで移動自在とされている。
また、調整部品８には、前記デフォルト時の取付けの姿勢で、調整部品８がベースフレーム６に取付けられた場合に、位置決めボス２１と係合する位置決め孔１３ａと、ネジ止め用ボス２２を用紙搬送方向Ｙで移動自在に案内する第二補助ボスガイドとしてのネジ止めボス用ガイド１６Ａとが、設けられている。
なお、調整部品８のデフォルト時の取付けの姿勢は、調整部品８の位置決め時の取付けの姿勢を、取付方向Ｚ（又は前記中心軸Ｍ）回りに、１８０度回転させた姿勢である。
【００４２】
このため、調整部品を相手部品に、ある姿勢（前記位置決め調整時の姿勢）で取付ければ、調整部品は相手部品に対して取付け位置が可変となり、前記ある姿勢に対して１８０度回転させた姿勢で取付ければ、調整部品は相手部品に取付けた段階で直ちに位置決めされる。
したがって、単一の調整部品でありながら、この調整部品を相手部品に直ちに位置決めされるように取付けることも、位置決め調整が可能なように取付けることも可能である。したがって、位置決め調整が必要な場合に、位置決め調整可能に調整部品を相手部品に取付けることができ、組立作業性を損なうことがない。
【００４３】
本発明の位置決め装置において、前記固定手段は、前記補助ボスに形成されるネジ溝と、補助ボスのネジ溝に、調整部品を介して締結されるネジと、で構成している。また、前記調整部品には、前記位置決め孔および前記位置決めボスガイドと重複する部位に、調整部品の前記調整方向での移動に関わり無くネジ溝を露出させるためのネジ挿通孔が形成される。
本実施の形態では、調整部品を相手部品に対して、取付位置を調整方向で可変に取付け可能とするための補助ボスを、ネジ止めボス２２とし、このネジ止めボス２２が固定手段の一部としても構成されるものとしている。そして、このネジ止めボス２２に、調整部品８のベースフレーム６に対する取付位置が変化してもネジ２０を締結可能とするため、位置決め孔１３ａと重複するようにネジ挿通孔１３ｂが第一上壁１３に形成されている。
なお、デフォルト時の取付けの場合は、調整用長孔１４ａを介してネジ２０がネジ止めボス２２に締結されるが、このときネジ２０のネジ軸が通過する調整用長孔１４ａは、ネジ２０のネジ軸の通過範囲よりも幅広である。したがって、調整用長孔１４ａにネジ挿通孔は含まれていることになる。
【００４４】
このため、調整部品を相手部品に対して調整方向で移動自在とすることに関わる部材が、調整部品を相手部品に対して固定する手段の一部を兼用することになり、位置決め装置の構成がコンパクト化される。
【００４５】
本発明の用紙搬送装置は、前記調整部品の位置決め装置を備えるものとして、前記相手部品をローラ軸が支持されるフレームとし、前記調整部品は前記フレームにローラ軸を支持する支持部品としている。
本実施の形態では、用紙搬送装置をＡＤＦ１とし、ローラ軸４が支持されるフレームは前記ベースフレーム６であり、調整部品８はベースフレーム６にローラ軸４を支持する支持部品となっている。
【００４６】
このため、用紙搬送に関わるローラの軸の傾きを調整可能であると共に、組付け時には組付け性を優先して位置調整なしに組付けることも可能である。
【図面の簡単な説明】
【００４７】
【図１】ＡＤＦを示す斜視図である。
【図２】ローラ軸の位置決め装置を用紙搬送方向に対して垂直な方向より見た図である。
【図３】調整部品の斜視図である。
【図４】デフォルト時の取付状態における調整部品の平面図である。
【図５】調整部品の取付方向より見た位置決めボスおよびネジ止めボスを示す平面図である。
【図６】図４のＡ−Ａ断面図である。
【図７】位置決め調整時の取付状態における調整部品の平面図である。
【図８】ローラ軸の軸方向より見た調整部品の側面図である。
【図９】図６のＢ−Ｂ断面図である。
【図１０】図６のＣ−Ｃ断面図である。
【図１１】ネジ締結固定した状態の調整部品の平面図である。
【符号の説明】
【００４８】
１    ＡＤＦ（用紙搬送装置）
４    ローラ軸
６    ベースフレーム（相手部品）
８    調整部品
１３ａ    位置決め孔
１３ｂ    ネジ挿通孔
１４ａ    調整用長孔（位置決めボスガイド）
１６Ａ    ネジ止めボス用ガイド（第一補助ボスガイド）    
１６Ｂ    ネジ止めボス用ガイド（第二補助ボスガイド）
２０    ネジ（固定手段の一部）
２１    位置決めボス
２２    ネジ止めボス（補助ボスおよび固定手段の一部）
Ｙ    用紙搬送方向（調整方向）
Ｚ    取付方向
【図１】
2006001703.tif 000003
【図２】
2006001703.tif 000004
【図３】
2006001703.tif 000005
【図４】
2006001703.tif 000006
【図５】
2006001703.tif 000007
【図６】
2006001703.tif 000008
【図７】
2006001703.tif 000009
【図８】
2006001703.tif 000010
【図９】
2006001703.tif 000011
【図１０】
2006001703.tif 000012
【図１１】
2006001703.tif 000013